(57)【要約】【課題】  ワイヤ電極の位置合わせを正確かつ容易にして、ワークの加工精度を向上させたワイヤ放電加工装置を提供する。【解決手段】  多軸制御し、ワイヤ電極をＺ軸方向（水平１軸方向）に沿って走行させＹ軸（鉛直１軸方向）上のワークを放電加工するワイヤ放電加工装置であって、一対のワイヤガイド１７，１７の間にワイヤ電極をＺ軸方向に沿って張架し前記Ｚ軸方向に直交するＸ軸（水平１軸方向）と平行な回動軸を中心として前記一対のワイヤガイド１７，１７の間に張架されたワイヤ電極を前記一対のワイヤガイドと一体的に回動させる方向をＶ軸とし前記一対のワイヤガイド１７，１７の間に張架されたワイヤ電極を前記Ｖ軸方向に所定角度の範囲で回動する傾き調整機構１８を備え、傾き調整機構１８によって前記一対のワイヤガイド１７，１７の間に張架されたワイヤ電極におけるワーク加工点が前記回動軸の中心軸線上に常に存在している構成となっている。【選択図】  図５
2014176953.tif 000002
【特許請求の範囲】
【請求項１】
水平１軸方向をＸ軸、前記Ｘ軸方向に直交する水平１軸方向をＺ軸、前記Ｘ軸方向と前記Ｚ軸方向に直交する鉛直１軸方向をＹ軸として、これら各制御軸を多軸制御し、前記Ｙ軸上のワークホルダにワークを保持させて、ワイヤ電極の供給及び引取機構によってワイヤ電極を前記Ｚ軸方向に沿って走行させ前記ワークを放電加工するワイヤ放電加工装置であって、所定間隔で配設された一対のワイヤガイドの間に前記ワイヤ電極を前記Ｚ軸方向に沿って張架し前記Ｘ軸と平行な回動軸を中心として前記一対のワイヤガイドの間に張架されたワイヤ電極を前記一対のワイヤガイドと一体的に回動させる方向をＶ軸とし前記Ｖ軸を制御して前記一対のワイヤガイドの間に張架されたワイヤ電極を前記Ｖ軸方向に所定角度の範囲で回動する傾き調整機構を備え、前記傾き調整機構によって前記一対のワイヤガイドの間に張架されたワイヤ電極におけるワーク加工点が前記回動軸の中心軸線上に常に存在していることを特徴とするワイヤ放電加工装置。
【請求項２】
前記Ｚ軸方向に往復移動する移動テーブルを備え、前記移動テーブル上には取付台が設けられ、前記取付台に前記傾き調整機構が取り付けられていることを特徴とする請求項１記載のワイヤ放電加工装置。
【請求項３】
前記傾き調整機構には、前記回動軸を中心として回動し前記一対のワイヤガイドが取り付けられた回動テーブルが備わっており、前記回動テーブルを回動させる駆動モータのシャフトに前記回動テーブルが直結していることを特徴とする請求項１または２記載のワイヤ放電加工装置。
【請求項４】
前記制御軸として、さらに、前記ワークの回転角度を割り出すＵ軸と前記ワークを定速回転させるＲ軸のいずれかないしは両方を制御するための回転及び角度割出機構が前記ワークホルダ上に配されていることを特徴とする請求項１から３のいずれか一項記載のワイヤ放電加工装置。
【請求項５】
前記Ｙ軸が前記傾き調整機構の回動軸に対して上下に直交する条件のときに、前記Ｙ軸上に装置本体の中心又は重心があることを特徴とする請求項１から４のいずれか一項記載のワイヤ放電加工装置。
【請求項６】
水平１軸方向をＸ軸、前記Ｘ軸方向に直交する水平１軸方向をＺ軸、前記Ｘ軸方向と前記Ｚ軸方向に直交する鉛直１軸方向をＹ軸として、これら各制御軸を多軸制御し、前記Ｙ軸上のワークホルダにワークを保持させて、ワイヤ電極の供給及び引取機構によってワイヤ電極を前記Ｚ軸方向に沿って走行させ前記ワークを放電加工するワイヤ放電加工装置であって、所定間隔で配設された一対のワイヤガイドの間に前記ワイヤ電極を前記Ｚ軸方向に沿って張架し前記Ｘ軸と平行な回動軸を中心として前記一対のワイヤガイドの間に張架されたワイヤ電極を前記ワイヤガイドと一体的に回動させる方向をＶ軸とし前記Ｖ軸を制御して前記一対のワイヤガイドの間に張架されたワイヤ電極を前記Ｖ軸方向に所定角度の範囲で回動する傾き調整機構を備えたワイヤ放電加工装置を用いて、前記傾き調整機構によって前記一対のワイヤガイドの間に張架されたワイヤ電極におけるワーク加工点が前記回動軸の中心軸線上に常に存在している状態で前記ワークを放電加工することを特徴とするワイヤ放電加工方法。
【請求項７】
前記Ｘ軸方向に往復移動する移動体と前記Ｚ軸方向に往復移動する移動体とによって前記傾き調整機構を水平移動させることを特徴とする請求項６記載のワイヤ放電加工方法。
【請求項８】
前記傾き調整機構には、前記回動軸を中心として回動し前記一対のワイヤガイドが取り付けられた回動テーブルが備わっており、前記回動テーブルを駆動モータに直結させて前記回転テーブルを回動させることを特徴とする請求項６または７記載のワイヤ放電加工方法。
【請求項９】
回転及び角度割出機構が前記ワークホルダ上に設けられ、前記制御軸として、さらに、前記ワークの回転角度を割り出すＵ軸と前記ワークを定速回転させるＲ軸のいずれかないしは両方を制御することを特徴とする請求項６から８のいずれか一項記載のワイヤ放電加工方法。
【請求項１０】
前記ワークは回転対称形状であり、前記Ｙ軸を前記傾き調整機構の回動軸に対して上下に直交させたときの位置を基準位置として前記ワークを放電加工することを特徴とする請求項６から９のいずれか一項記載のワイヤ放電加工方法。
【発明の詳細な説明】
【技術分野】
【０００１】
本発明は、被加工物であるワークに対してワイヤ電極を横方向に走行させ前記ワークを放電加工するワイヤ放電加工装置、及び当該ワイヤ放電加工装置を用いたワイヤ放電加工方法に関する。
【背景技術】
【０００２】
ワイヤ放電加工装置は、ワイヤ電極に所定のテンション（張力）をかけた状態でワイヤ電極を被加工物であるワークを挟んで設けられる一対のワイヤガイド間に張架しワイヤ電極を引き出し走行させながら、ワークとワイヤ電極との間に形成される加工間隙に放電を発生させ、放電エネルギにより前記ワークの一部を除去し所定形状に加工する放電加工装置である。
ワイヤ放電加工装置には、ワイヤ電極を上下方向（縦方向）に引き出し走行させてワークを加工する装置（縦ワイヤ型とする）と、ワイヤ電極を左右方向または前後方向（横方向）に走行させてワークを加工する装置（横ワイヤ型とする）がある。前者の縦ワイヤ型は、加工媒体である放電加工液噴流を加工間隙に供給する上で有利であるため、ワークを切断加工する一般的なワイヤカットに適しており、後者の横ワイヤ型は、ワークの外形を精密加工するのに適している。
【０００３】
コンピュータ技術の発達に伴って、Ｘ軸、Ｙ軸、Ｚ軸、Ｖ軸、Ｕ軸、Ｒ軸などの各制御軸に対して同時３軸以上の同時多軸制御がなされて、複雑な形状のワークを精度良く加工できるようになった。ただし、横ワイヤ型のワイヤ放電加工装置における各制御軸の表記は、一般的な工作機械における直交軸の表記と同じにされていないことが多い。原則として、操作者がＮＣプログラムを作成しやすいように、古くからある縦ワイヤ型の表記を、比較的歴史の浅い横ワイヤ型に適用するようにされている。つまり、工具であるワイヤ電極を走行させる水平１軸方向（左右方向）を主軸Ｚ軸としている。
【０００４】
特許文献１は、縦ワイヤ型のワイヤ放電加工装置に関し、水平面上で直交するＸ軸及びＹ軸方向の移動軸からなる第１の座標系と、上記Ｘ軸及びＹ軸にそれぞれ平行なＵ軸及びＶ軸方向の移動軸からなる第２の座標系とを有し、上記第１の座標系の移動ユニット上に第２の座標系の移動ユニットが搭載され、第２の座標系の上にＸ軸及びＹ軸と直交するＺ軸方向へ移動可能な加工ヘッドを備えた工作機械の加工ヘッドの移動軸制御方法において、上記移動軸を移動させているときまたは移動させる前に、上記第１の座標系と第２の座標系との平行な２組の軸（Ｘ軸とＵ軸、Ｙ軸とＶ軸）の各組における各軸の座標位置を逐次加算して加算値を得るステップと、上記加算値を予め設定された上記各組の軸座標位置の和から成る移動限界値と比較するステップと、上記少なくとも１組の平行軸の上記逐次の加算値が上記移動限界値に達したときは、Ｘ軸、Ｕ軸、Ｙ軸、及びＶ軸方向の移動を停止するか、または移動させないようにするステップと、を順次実行すること（その請求項１）が、記載されている。
【０００５】
特許文献２は、横ワイヤ型のワイヤ放電加工装置に関し、ベッド上の加工槽内のテーブル上に、荒加工用の標準線径のワイヤ電極と仕上げ加工用の前記標準線径よりも細い細線径のワイヤ電極とを、水平面内の一軸に対して平行に所定の間隔で、かつ加工槽内の加工液に浸漬状態で軸方向に走行させるように張架する走行経路形成手段と、該走行経路形成手段に対する前記標準ワイヤ電極と細線ワイヤ電極の各供給手段と引取手段と、前記標準ワイヤ電極と細線ワイヤ電極との２つの放電加工部位の軸線に対して直交する水平軸方向に移動するラムと、該ラムに載置される、前記放電加工部位の軸線に対して直交する鉛直移動軸を有する加工ヘッドと、該加工ヘッドの軸端に設置される、被加工体を着脱自在に懸垂把持する保持手段と、前記加工ヘッドに内蔵され、該加工ヘッドを前記テーブルに対して相対的に旋回・割出し制御する旋回・割り出し装置と、前記被加工体を前記標準ワイヤ電極と細線ワイヤ電極とに順次に相対向させて所望の放電荒加工と仕上げ加工とを行なわせる制御装置を備えたこと（その請求項１）が、記載されている。
【０００６】
特許文献３は、横ワイヤ型のワイヤ放電加工装置に関し、被加工物の両側に略水平位置に支持される一対の自動結線手段と、前記一対の自動結線手段間を略水平に走行するワイヤ電極と、前記一対の自動結線手段間で被加工物を略垂直に支持する取付手段と、前記取付手段とワイヤ電極とを相対的に移動させて前記被加工物にワイヤ電極による加工軌跡を形成する駆動手段と、前記取付手段を被加工物とともにワイヤ電極の走行方向に対して直交な方向、且つ、上下方向に対して直交な方向に回転させて前記被加工物の内側（中子）部分を分離する回転手段と、前記分離された内側（中子）部分をワイヤ放電加工装置内から自動排出する排出手段とを具備すること（その請求項１）が、記載されている。
【０００７】
特許文献４は、横ワイヤ型のワイヤ放電加工装置に関し、テーブルまたは加工ヘッドの一方に設けられるか、テーブルまたは加工ヘッドの一方が兼用してもよい取付けベースと、該取付けベースの表面に、該表面に沿って所望角度の旋回位置決めをするように枢軸を介して取り付けられた旋回テーブルと、該旋回テーブルの旋回位置決め駆動手段と、ワイヤ電極が更新移動する張架加工部を形成するように間隔を置いて取り付けられた一対のガイドブロックを有する支腕と、該支腕の一端側を支点として支持し、他端を旋回テーブル表面に垂直方向に旋回位置決めするように旋回テーブル上に取り付けられた支腕旋回制御手段と、前記取付けベース廻りに設けられるワイヤ電極の供給引取手段に対して、前記旋回する支腕のガイドブロック間の加工部にワイヤ電極を供給および引取るよう走行させるワイヤ電極の引廻し手段とを有し、相対的に直交３軸方向の移動制御が可能な前記テーブルと加工ヘッドとの他方に設けた、工具素材を取り付ける割出し位置決め可能な回転角度割出軸と前記加工部ワイヤ電極が交叉するように相対向して配置されること（その請求項１）が、記載されている。
【先行技術文献】
【特許文献】
【０００８】
【特許文献１】特開平１１−１７０１１７号公報
【特許文献２】特許第４２４７９３２号（特開２０００−５２１５０号公報）
【特許文献３】特許第２７２１０９２号（特開平６−５５３５４号公報）
【特許文献４】特許第３８８３８７９号（特開２００３−２４５８２８号公報）
【発明の概要】
【発明が解決しようとする課題】
【０００９】
特許文献１から４記載の既知のワイヤ放電加工装置には、４軸ないしは５軸の制御軸が備わっており、これら４軸ないしは５軸の制御軸を位置合わせすることで、ワークに対するワイヤ電極の位置合わせを行っている。しかしながら、例えば４軸の制御軸を位置合わせするとワイヤ電極の位置合わせに４軸分の誤差が含まれることになり、また例えば、５軸の制御軸を位置合わせするとワイヤ電極の位置合わせに５軸分の誤差が含まれることになるので、これら多軸分の重なり合った誤差によって安定して位置決め精度を得ることが難しく、加工精度が低下するという課題がある。
【００１０】
図８と図９に示す装置は、比較例としての横ワイヤ型のワイヤ放電加工装置である。図８と図９に示される横ワイヤ型のワイヤ放電加工装置は、被加工物であるワーク１１に対して前後方向をＸ軸、左右方向をＺ軸、上下方向をＹ軸として、これら各制御軸を多軸制御し、前記Ｙ軸を制御するための加工ヘッドのワークホルダ１２にてワーク１１を保持させて、ワイヤ電極Ｗｒの供給及び引取機構によってワイヤ電極Ｗｒを左右方向に走行させワーク１１を放電加工するワイヤ放電加工装置であり、前記Ｘ軸と平行な位置となるＶ軸を制御するための傾き調整機構１８が備わっている。前記Ｖ軸を制御するための傾き調整機構１８には、駆動モータとハーモニックギアによって回動する回動テーブル１８ｔが配されており、アームＨ１が回動テーブル１８ｔから外側方向に延設されており、アームＨ１に取り付けられたワイヤガイドにワイヤ電極Ｗｒが取り付けられている。ここで、図８は、回動テーブル１８ｔの回動角度が１０度のときを示しており、ワイヤ電極Ｗｒにおけるワーク加工点を傾き調整機構１８の回動軸の中心に比較的近い位置とすることが可能な位置にある。一方、図９は、回動テーブル１８ｔの回動角度が６０度のときを示しており、ワイヤ電極Ｗｒにおけるワーク加工点を傾き調整機構１８の回動軸の中心に比較的近い位置とすることが不可能な位置にある。すなわち、図９のときは、立ち上がったアームＨ１がワークホルダ１２やその周辺の構造体に接触する虞があるため、アームＨ１とワーク１１とが互いに干渉しないように、前記加工ヘッドの位置を退避させておく必要がある。よって、ワイヤ電極Ｗｒにおけるワーク加工点を傾き調整機構１８の回動軸の中心軸線上の位置に比較的近い位置とすることが不可能である。そして、このことからも、４軸ないしは５軸の制御軸を位置合わせして、ワーク１１に対するワイヤ電極Ｗｒの位置合わせを行わざるを得ないのが実情である。
【００１１】
さらに、図８と図９に示す比較例の装置では、回動テーブル１８ｔから外側方向に延設されているアームＨ１を回動させるために、必要なパワーを得るべく、前記Ｖ軸にはハーモニックギアを使用しているが、ハーモニックギアを使用することで、バックラッシュの影響が大きく、このため、ワーク１１の位置決めが複雑で時間を要する。例えば、電源を立上げ直した場合、原点復帰時のＶ軸位置のバラツキが大きいという問題点がある。また、図９では、ワーク１１の加工位置が回動軸の中心軸線上の位置から大きく離れており、回動テーブル１８ｔから外側方向に大きく延設されているアームＨ１の構造では、ワイヤガイド間距離（ガイドスパン）が１００ｍｍ程度あるため、横方向に張架されたワイヤ電極の自由長さが約１００ｍｍと長くなってしまい、ワーク１１の加工の際に、加工液の噴流によって前記横方向に張架されたワイヤ電極が振動し易いことなどから、振動によって加工精度を悪くする可能性がある。
【００１２】
例えば、円柱状の工具素材でその直径が０．５ｍｍ以下のものを、先端刃のように微小な形状に加工する場合、その加工精度は極めて高いものが要求されるが、既知の横ワイヤ型のワイヤ放電加工装置におけるワイヤ電極の位置合わせでは、位置合わせが複雑で、ワイヤ電極の振動等の影響もあり、精度の高い加工をすることが難しいといわれている。
【００１３】
そこで本発明の目的は、ワークに対してワイヤ電極を横方向に走行させ前記ワークを放電加工するワイヤ放電加工装置において、前記ワイヤ電極の位置合わせを正確かつ容易にして、ワークの加工精度を向上させたワイヤ放電加工装置、並びに、ワイヤ放電加工装置におけるワイヤ電極の位置合わせを正確かつ容易にし、ワークの加工精度を向上させるワイヤ放電加工方法を提供することを目的とする。
【課題を解決するための手段】
【００１４】
本発明のワイヤ放電加工装置は、水平１軸方向をＸ軸、前記Ｘ軸方向に直交する水平１軸方向をＺ軸、前記Ｘ軸方向と前記Ｚ軸方向に直交する鉛直１軸方向をＹ軸として、これら各制御軸を多軸制御し、前記Ｙ軸上のワークホルダにワークを保持させて、ワイヤ電極の供給及び引取機構によってワイヤ電極を前記Ｚ軸方向に沿って走行させ前記ワークを放電加工するワイヤ放電加工装置であって、所定間隔で配設された一対のワイヤガイドの間に前記ワイヤ電極を前記Ｚ軸方向に沿って張架し前記Ｘ軸と平行な回動軸を中心として前記一対のワイヤガイドの間に張架されたワイヤ電極を前記一対のワイヤガイドと一体的に回動させる方向をＶ軸とし前記Ｖ軸を制御して前記一対のワイヤガイドの間に張架されたワイヤ電極を前記Ｖ軸方向に所定角度の範囲で回動する傾き調整機構を備え、前記傾き調整機構によって前記一対のワイヤガイドの間に張架されたワイヤ電極におけるワーク加工点が前記回動軸の中心軸線上に常に存在していることを特徴とする。
【００１５】
本発明によれば、前記一対のワイヤガイドの間に張架されたワイヤ電極におけるワーク加工点が前記回動軸の中心軸線上に常に存在しているので、Ｚ軸とＹ軸をＶ軸の傾きに合せて移動させる必要がなく、従前の装置と比較して少なくとも２軸分の誤差が排除されているため、前記ワイヤ電極の位置合わせを正確かつ容易にして、ワークの加工精度の向上を図ることができる。また、従前の装置と比較してワイヤガイド間距離を小さくすることが容易な構成であるから、前記一対のワイヤガイドの間に張架されたワイヤ電極の振動等の影響が大幅に軽減されて接触感知の精度が向上し、尚且つ、装置の小型化が図れる。
【００１６】
本発明は、前記Ｚ軸方向に往復移動する移動テーブルを備え、前記移動テーブル上には取付台が設けられ、前記取付台に前記傾き調整機構が取り付けられていることを特徴とする。
【００１７】
本発明によれば、シンプルな構成でありながら安定した精度で加工することが容易となる。
【００１８】
本発明は、前記傾き調整機構には、前記回動軸を中心として回動し前記一対のワイヤガイドが取り付けられた回動テーブルが備わっており、前記回動テーブルを回動させる駆動モータのシャフトに前記回動テーブルが直結していることを特徴とする。
【００１９】
本発明によれば、前記回動テーブルが駆動モータのシャフトと直結しており、ハーモニックギアをなくしたことで、バックラッシュの影響を受け難くなり、また、原点復帰時のＶ軸位置のバラツキが抑えられる構成となる。
【００２０】
本発明は、前記制御軸として、さらに、前記ワークの回転角度を割り出すＵ軸と前記ワークを定速回転させるＲ軸のいずれかないしは両方を制御するための回転及び角度割出機構が前記ワークホルダ上に配されていることを特徴とする。
【００２１】
本発明によれば、これら多軸制御によって、複雑な形状のワークを精度良く加工することが容易となる。
【００２２】
本発明は、前記Ｙ軸が前記傾き調整機構の回動軸に対して上下に直交する条件のときに、前記Ｙ軸上に装置本体の中心又は重心があることを特徴とする。
【００２３】
本発明によれば、装置の振動等によるワイヤ電極の振動等の影響を最小限度に抑制した機械構成となる。
【００２４】
本発明のワイヤ放電加工方法は、水平１軸方向をＸ軸、前記Ｘ軸方向に直交する水平１軸方向をＺ軸、前記Ｘ軸方向と前記Ｚ軸方向に直交する鉛直１軸方向をＹ軸として、これら各制御軸を多軸制御し、前記Ｙ軸上のワークホルダにワークを保持させて、ワイヤ電極の供給及び引取機構によってワイヤ電極を前記Ｚ軸方向に沿って走行させ前記ワークを放電加工するワイヤ放電加工装置であって、所定間隔で配設された一対のワイヤガイドの間に前記ワイヤ電極を前記Ｚ軸方向に沿って張架し前記Ｘ軸と平行な回動軸を中心として前記一対のワイヤガイドの間に張架されたワイヤ電極を前記ワイヤガイドと一体的に回動させる方向をＶ軸とし前記Ｖ軸を制御して前記一対のワイヤガイドの間に張架されたワイヤ電極を前記Ｖ軸方向に所定角度の範囲で回動する傾き調整機構を備えたワイヤ放電加工装置を用いて、前記傾き調整機構によって前記一対のワイヤガイドの間に張架されたワイヤ電極におけるワーク加工点が前記回動軸の中心軸線上に常に存在している状態で前記ワークを放電加工することを特徴とする。
【００２５】
本発明によれば、前記傾き調整機構によって前記一対のワイヤガイドの間に張架されたワイヤ電極におけるワーク加工点が前記回動軸の中心軸線上に常に存在している状態で前記ワークを放電加工するので、Ｚ軸とＹ軸をＶ軸の傾きに合せて移動させる必要がなく、従前の装置による加工方法と比較して少なくとも２軸分の誤差が排除されているため、前記ワイヤ電極の位置合わせを正確かつ容易にして、ワークの加工精度の向上を図ることができる。
【００２６】
本発明は、前記Ｘ軸方向に往復移動する移動体と前記Ｚ軸方向に往復移動する移動体とによって前記傾き調整機構を水平移動させることを特徴とする。
【００２７】
本発明によれば、シンプルな構成でありながら安定した精度で加工することが容易となる。
【００２８】
本発明は、前記傾き調整機構には、前記回動軸を中心として回動し前記一対のワイヤガイドが取り付けられた回動テーブルが備わっており、前記回動テーブルを駆動モータに直結させて前記回転テーブルを回動させることを特徴とする。
【００２９】
本発明によれば、前記回動テーブルを駆動モータに直結させて、ハーモニックギアをなくすことで、バックラッシュの影響を受け難くなり、また、原点復帰時のＶ軸位置のバラツキを抑えられる。
【００３０】
本発明は、回転及び角度割出機構が前記ワークホルダ上に設けられ、前記制御軸として、さらに、前記ワークの回転角度を割り出すＵ軸と前記ワークを定速回転させるＲ軸のいずれかないしは両方を制御することを特徴とする。
【００３１】
本発明によれば、これら多軸制御によって、複雑な形状のワークを精度良く加工することが容易となる。
【００３２】
本発明は、前記ワークは回転対称形状であり、前記Ｙ軸を前記傾き調整機構の回動軸に対して上下に直交させたときの位置を基準位置として前記ワークを放電加工することを特徴とする。
【００３３】
本発明によれば、本発明によれば、回転対称形状のワークの外形をワイヤカットによって加工するに際して、前記ワークの中心軸線上にある位置を基準位置にすることができるので、前記ワークの中心位置を誤ることなく前記ワークをより容易に放電加工することとなる。
【発明の効果】
【００３４】
本発明のワイヤ放電加工装置によれば、水平１軸方向に沿って張架されたワイヤ電極におけるワーク加工点が前記傾き調整機構の回動軸中心軸線上の位置と常に一致しているので、Ｚ軸とＹ軸をＶ軸の傾きに合せて移動させる必要がなく、従前の横ワイヤ型のワイヤ放電加工装置と比較して少なくとも２軸分の誤差が排除されているので、前記ワイヤ電極の位置合わせをより正確かつ容易にして、ワークの加工精度の向上を図ることができる。また、従前の装置と比較してワイヤガイド間距離を小さくすることが容易な構成であるから、横方向に張架された前記ワイヤ電極の振動等の影響が大幅に軽減されて接触感知の精度が向上し、尚且つ、装置の小型化が図れる。本発明によれば、シンプルな構成でありながら安定した精度で加工することが容易となる。本発明によれば、前記ワイヤガイドが取り付けられた回動テーブルを駆動モータのシャフトと直結させることで、ハーモニックギアをなくしているので、バックラッシュの影響を受け難くなり、また、原点復帰時のＶ軸位置のバラツキが抑えられる構成となる。本発明によれば、装置の振動等によるワイヤ電極の振動等の影響を最小限度に抑制した機械構成となる。
【００３５】
本発明のワイヤ放電加工方法によれば、バックラッシュの影響を受け難くなり、また、原点復帰時のＶ軸位置のバラツキを抑えられる。本発明によれば、回転対称形状のワークの外形をワイヤカットによって加工するに際して、前記ワークの中心軸線上にある位置を基準位置にすることができるので、前記ワークの中心位置を誤ることなく前記ワークをより容易に放電加工することとなる。
【図面の簡単な説明】
【００３６】
【図１】本発明の実施形態のワイヤ放電加工装置を示す正面図である。
【図２】上記実施形態の装置の要部を示す斜視図である。
【図３】上記実施形態の装置の要部を示す正面図である。
【図４】上記実施形態の装置の傾き調整機構を示す正面図であり、特に、回動テーブルの回動角度が０度のときを示している。
【図５】上記実施形態の装置の傾き調整機構を示す正面図であり、特に、回動テーブルの回動角度が６０度のときを示している。
【図６】上記実施形態の装置の傾き調整機構を模式的に示す側面図である。
【図７】本発明の実施形態のワイヤ放電加工装置で加工したワークの例を示す図である。
【図８】比較例としての横ワイヤ型のワイヤ放電加工装置の要部を示す斜視図であり、特に、回動テーブルの回動角度が１０度のときを示している。
【図９】比較例としての横ワイヤ型のワイヤ放電加工装置の要部を示す斜視図であり、特に、回動テーブルの回動角度が６０度のときを示している。
【発明を実施するための形態】
【００３７】
本発明を適用した具体的な実施の形態について、図面を参照しながら以下に説明する。
【００３８】
図１は、本発明の実施形態の横ワイヤ型のワイヤ放電加工装置を示す正面図である。図２は、本実施形態の装置の要部を示す斜視図である。図３は、本実施形態の装置の要部を示す正面図である。なお、図１に示される実施形態のワイヤ放電加工装置では、図１の向かって手前側を前面とし、両側面の横方向を左右方向、前面と背面との横方向を前後方向、縦方向を上下方向という。
【００３９】
本実施形態の数値制御ワイヤ放電加工装置１は、被加工物であるワーク１１に対して前後方向（水平１軸方向）をＸ軸、左右方向（Ｘ軸に直交する水平１軸方向）をＺ軸、上下方向（Ｘ軸とＺ軸とに直交する鉛直１軸方向）をＹ軸として、これら各制御軸を同時多軸制御する。ワイヤ放電加工装置１では、前記Ｙ軸を制御するための加工ヘッド１０にワーク１１を保持させる。そして、ワイヤ放電加工装置１には、所定間隔で一対のワイヤガイド１７，１７が配置されており、ワイヤ電極Ｗｒとワーク１１との間に形成される加工間隙（ワーク加工点）においてワイヤ電極ＷｒがＺ軸方向に沿って横方向に張架される。すなわち、本実施形態のワイヤ放電加工装置１は、ワイヤ電極Ｗｒの供給及び引取機構３によってワイヤ電極Ｗｒを左右方向（横方向）に走行させてワーク１１を加工する横ワイヤ型の装置である（図１〜図３等）。
【００４０】
本実施形態のワイヤ放電加工装置１は、基台となるベッド４が水平に接地され、ベッド４の上には、Ｘ軸方向に往復移動する移動体であるサドル５が配され、サドル５の上にはＺ軸方向に往復移動する移動体である移動テーブル６が配されており、移動テーブル６上には取付台９が固定されており、取付台９にワイヤ電極Ｗｒの案内機構が設けられている（図１）。取付台９は、水平に配された状態で、サドル５と移動テーブル６とによって、Ｘ軸方向（前後方向）とＺ軸方向（左右方向）のいずれかないしは両方に移動する構成となっている。そして、ベッド４の後方側にはコラム７が立設し、コラム７には移動ラム８と送り機構が配されており、コラム７の前方側には加工ヘッド１０が配されている（図１）。加工ヘッド１０は、垂直に配された状態で、送り機構１３によって、Ｙ軸方向（上下方向）に移動する構成となっている。
【００４１】
前記移動テーブル６の上には加工槽１６が配されており、取付台９は加工時に放電加工部が加工液に浸漬状態となるように加工槽１６内に組み込まれている（図１）。そして、ワイヤ放電加工用電源及び数値制御装置を含む電源及び制御機構２と、ワイヤ電極Ｗｒの供給，引取り及び回収手段３が一体構造となったワイヤ電極の供給及び引取機構３が設けられているとともに（図１）、ワイヤ電極加工部の加工槽１６へ加工液を供給及び回収して浄化処理する加工液供給手段が設けられている（図示せず）。
【００４２】
前記加工ヘッド１０の下側には、回転及び角度割出機構１４が配されており、回転及び角度割出機構１４の下には、ワークホルダ１２が配されている（図１、図３）。ワーク１１は、ワークホルダ１２によって保持され、回転及び角度割出機構１４によって、Ｙ軸廻りに回転角度割出を行なう角度割出軸をＵ軸とし、Ｙ軸廻りに所定の回転速度で回転させる回転軸をＲ軸として、ワーク１１の回転角度を割り出すＵ軸と、ワーク１１を定速回転させるＲ軸のいずれかが切り替えられて制御される。そして、ワーク１１は、ワークホルダ１２によって保持され、送り機構１３によって、Ｙ軸が制御される。本実施形態では、Ｕ軸が制御されるときは、Ｘ，Ｙ，Ｚ，Ｕ，Ｖの同時５軸制御、Ｒ軸が制御されるときは、Ｘ，Ｙ，Ｚ，Ｖの同時４軸制御となる。
【００４３】
図３は、ワイヤ電極Ｗｒの張架走行経路を説明する図となっている。ワイヤ電極Ｗｒの供給及び引取機構３によって、引き出されたワイヤ電極Ｗｒは、複数箇所に配された大小のプーリ１９及びワイヤガイド１７，１７を介してワイヤ走行する。より具体的には、図１に示される供給及び引取機構３には、テンションローラを含むテンション機構３１が設けられ、放電加工に供された使用済のワイヤ電極Ｗｒを巻き取って排出する巻取ローラを含む回収機構３２との間でワイヤ電極Ｗｒに所定の張力が付与される。リールにセットされたワイヤボビン３３に巻き回されたワイヤ電極Ｗｒは、ワイヤボビン３３から引き出されて、取付台９の上に設けられた案内機構の大小複数のプーリ１９に引き回される。その結果、ワイヤ電極Ｗｒは、所定間隔で配設された一対のワイヤガイド１７，１７の間でＺ軸方向に沿って張架され、所定の張力をもって所定の速度で走行する。
【００４４】
図４は、本実施形態の装置１の傾き調整機構１８を示す正面図であり、特に、傾き調整機構１８の回動角度が０度のときを示している。図５は、本実施形態の装置１の傾き調整機構１８を示す正面図であり、特に、傾き調整機構１８の回動角度が６０度のときを示している。図６は、本実施形態の装置１の傾き調整機構１８を模式的に示す側面図である。
本実施形態では、取付台９の上に絶縁ブロック２２が配設され、絶縁ブロック２２の上にバランスウエイト２１が配され、バランスウエイト２１の上に傾き調整機構１８が配されている（図３〜図５））。前記バランスウエイト２１，２１は、傾き調整機構１８の左右のバランスを調整するためのものである。すなわち、傾き調整機構１８は、左右のバランスがとれており、取付台９と電気絶縁された状態で、取付台９に固定されている。傾き調整機構１８の後方側には駆動モータ５１が配されており、傾き調整機構１８の前方側には回動テーブル１８ｔが配されており、回動テーブル１８ｔが駆動モータ５１のシャフト５２と直結している（図６）。
【００４５】
前記傾き調整機構１８は、前記Ｘ軸と平行な回動軸の中心軸線上にある位置を回転の中心Ｑとして一対のワイヤガイド１７，１７の間に張架されたワイヤ電極Ｗｒを一対のワイヤガイド１７，１７と一体的に回動させる方向をＶ軸として、Ｖ軸を制御することによって一対のワイヤガイド１７，１７の間に張架されたワイヤ電極をＶ軸方向に所定角度の範囲で回動するするためのものである。傾き調整機構１８の回動軸の中心軸線は、駆動モータ５１のシャフト５２の中心軸線と同軸である（図６）。
【００４６】
より具体的には、図６に示すように、前記傾き調整機構１８は、回動テーブル１８ｔを含んでなる。回動テーブル１８ｔは、駆動モータ５１のシャフト５２と直結して駆動する、いわゆるダイレクトドライブ方式の回動テーブルである。回動テーブル１８ｔの前面側に所定間隔で一対のワイヤガイド１７，１７が配設されており、一対のワイヤガイド１７，１７にそれぞれ取り付けられたプーリ１９にワイヤ電極ＷｒがＺ軸方向に沿って張架されている。そして、駆動モータ５１によって回動テーブル１８ｔが所定角度の範囲で回動したときに、一対のワイヤガイド１７，１７の間にＺ軸方向に沿って張架されたワイヤ電極Ｗｒが回動軸を中心Ｑとして一対のワイヤガイド１７，１７と一体的にＶ軸方向に所定角度の範囲で回動する構成となっている（図４〜図６）。つまり、Ｖ軸を制御して、傾き調整機構１８によって、一対のワイヤガイド１７，１７の間に張架されたワイヤ電極Ｗｒが所定角度の範囲で回動する構成である。
【００４７】
前記Ｚ軸方向に沿って張架されたワイヤ電極Ｗｒにおけるワーク加工点は、ワイヤガイド１７とワイヤガイド１７の間の位置にある。図８と図９に示す比較例では、ワイヤガイド１７とワイヤガイド１７の間のワイヤ電極Ｗｒの自由振動長さは約７５ｍｍとなっている。これに対して、図４と図５に示す本実施形態では、ワイヤガイド１７とワイヤガイド１７との間のワイヤガイド間距離を短くすることができ、ワイヤガイド間距離に相当するワイヤ電極Ｗｒの自由振動長さは約２０ｍｍとなっている。つまり、本実施形態では、ワイヤガイド１７，１７間のワイヤ電極Ｗｒの自由振動長さが比較例の約１／４となっており、これにより、ワイヤ電極Ｗｒの振動の影響が大幅に軽減され、接触感知の精度影響も小さくなった。
【００４８】
一対のワイヤガイド１７，１７の間に前記Ｚ軸方向に沿って張架されたワイヤ電極Ｗｒにおけるワーク加工点には、加工媒体としての加工液を噴流させて供給する必要があり、そのための配管３５がワイヤガイド１７の一方側に取り付けられている。図８と図９に示す比較例では、構造上、配管３５が回動テーブル１８ｔの内周側に配されている。これに対して、図４と図５に示す本実施形態では、配管３５が回動テーブル１８ｔの外周側に配されている。つまり、本実施形態では、配管３５を回動テーブル１８ｔの外周側に配することで、配管３５のチューブに余裕を持たせた構成となっており、回動テーブル１８ｔを回動させるための駆動モータ５１のパワーが小さくても対応できるようになっており、省電力化が図られているとともに、トルクを得るための波動歯車装置(Strain wave gearing)などの減速機を廃してダイレクトドライブ方式で回動テーブル１８ｔを駆動することを可能な構成としている。
【００４９】
図４と図５からも明らかなように、本実施形態によれば、一対のワイヤガイド１７，１７の間に張架されたワイヤ電極Ｗｒにおけるワーク加工点が傾き調整機構１８の回動軸の中心軸線上に常に存在するようにされているので、Ｚ軸とＹ軸をＶ軸の傾きに合せて移動させる必要がなく、従前の装置と比較して少なくとも２軸分の誤差が排除されているので、前記ワイヤ電極Ｗｒの位置合わせを正確かつ容易にして、ワーク１１の加工精度の向上を図ることができる。また、従前の装置と比較してワイヤガイド間距離を小さくすることができていることから、前記張架されたワイヤ電極の振動等の影響が大幅に軽減されて接触感知の精度が向上し、尚且つ、装置の小型化が図れる。
【００５０】
図６からも明らかなように、本実施形態によれば、ワイヤガイド１７，１７が取り付けられた回動テーブル１８ｔを駆動モータ５１のシャフト５２と直結させて、ハーモニックギアをなくすことで、バックラッシュの影響を受け難くなり、また、原点復帰時のＶ軸位置のバラツキが抑えられる構成となった。
【００５１】
そして、本実施形態では、前記Ｙ軸が前記傾き調整機構１８の回動軸の中心Ｑに対して上下に直交する条件のときに、前記Ｙ軸上に装置本体の中心又は重心がある構成となっている（図４と図５を参照）。
【００５２】
本実施形態によれば、装置の振動等によるワイヤ電極の振動等の影響を最小限度に抑制した機械構成となる。
【００５３】
図７は、本実施形態のワイヤ放電加工装置１で加工したワークの例を示す図である。ワーク１１Ａ、１１Ｂ、１１Ｃは、いずれも回転対称形状の工具であり、先端が回転刃となっている。
【００５４】
本実施形態の方法では、Ｙ軸を傾き調整機構１８の回動軸の中心軸線上の回動の中心Ｑに対して上下に直交させたときの位置を基準位置として、回転対称形状のワーク１１（１Ａ、１１Ｂ、１１Ｃ）を放電加工することを特徴とする。
【００５５】
本実施形態によれば、回転対称形状のワーク１１（１１Ａ、１１Ｂ、１１Ｃ）の外形をワイヤカットによって加工するに際して、ワーク１１の中心軸線上にある位置を基準位置にすることができるので、ワーク１１の中心位置を誤ることなくワーク１１をより容易に放電加工することとなる。そして、本実施形態によれば、加工後の直径が０．５ｍｍ以下となるような超微細なワーク１１（１１Ａ，１１Ｂ，１１Ｃ）を高精度に加工することができる。
【００５６】
本実施形態では、機械電源をＯＦＦするときは、ワーク１１を加工ヘッド１０により上方に移動させるか、或いは、移動テーブル９を前後左右に移動させるなどして、ワーク１１からワイヤ電極Ｗｒを離した位置に移動させてからＯＦＦすることになる。そして、Ｖ軸の位置については、電源ＯＮ時は、原点復帰後に設定位置に戻るようになっている。
【００５７】
上述のとおり、本実施形態のワイヤ放電加工装置１では、回動テーブル１８ｔの回転軸の中心軸線上に回動の中心Ｑが常に存在する構成である点、回動テーブル１８ｔの回転軸の中心軸線と駆動モータ５１の駆動軸とが同軸である構成であって、特に、駆動モータ５１のシャフト５２が回転テーブル１８ｔの回動軸に直結する構成である点、回動テーブル１８ｔの回動における抵抗を可能な限り小さくする構成である点、Ｚ軸方向に沿ってワイヤ電極Ｗｒを張架し案内支持する一対のワイヤガイド１７，１７のワイヤガイド間距離がより短い構成である点、とは、総じてそれぞれの構成が相互に密接に関係し合って得ることができる本発明の特徴であり、その結果、本発明は、横ワイヤ型のワイヤ放電加工装置において、ワイヤ電極の位置合わせをより正確で容易にするとともにバラツキを小さく抑え、加工精度を向上させることができるという顕著な作用効果を奏するものである。
【００５８】
したがって、本発明は、上述の実施形態に限られるものではなく、本発明の趣旨を逸脱しない範囲で、適宜変更、組合せ、応用が可能である。例えば、上記実施形態において、加工ヘッド１０のみを上下動と旋回及び割出し回転させることで、ワーク１１を加工することも可能である。本実施形態が対象とするワークは、上述の回転対称形状のワーク１１に限られず、板状のワークや非回転対称形状のワークを扱うことも可能である。さらに、上記実施形態の装置を９０度回転させた向きに各構成要素を配置変更することも可能である。つまり、Ｘ軸とＺ軸は同一面内にあり、Ｙ軸はＸ軸及びＺ軸からなる面と直交しており、Ｖ軸はＸ軸と平行な位置となっていれば、相対的な位置関係は本願発明と実質的に同じことであるから、たとえ各軸と左右、前後、上下との対応関係が文言上一致しなかったとしても、相対的な位置関係が本願発明と実質的に同じであれば、本願発明の範疇であるといえる。
【符号の説明】
【００５９】
１                            本発明のワイヤ放電加工装置、
２                            電源及び制御機構、
３                            ワイヤ電極の供給及び引取機構、
４                            ベッド（基台）、
５                            サドル、
６                            移動テーブル、
９                            取付台、
１０                          加工ヘッド、
１１，１１Ａ，１１Ｂ，１１Ｃ  ワーク、
１２                          ワークホルダ、
１４                          回転及び角度割出機構、
１７                          ワイヤガイド、
１８                          傾き調整機構、
１８ｔ                        回動テーブル、
１９                          プーリ、
Ｑ                            傾き調整機構の回動軸の回動の中心（Ｖ軸中心）、
Ｗｒ                          ワイヤ電極
【図１】
2014176953.tif 000003
【図２】
2014176953.tif 000004
【図３】
2014176953.tif 000005
【図４】
2014176953.tif 000006
【図５】
2014176953.tif 000007
【図６】
2014176953.tif 000008
【図７】
2014176953.tif 000009
【図８】
2014176953.tif 000010
【図９】
2014176953.tif 000011